(57)【要約】【課題】  所定情報の視認性を適切に向上すること。【解決手段】  所定情報を表示画面に表示させる情報表示装置であって、前記表示画面の各画素毎に描画要素種別を検出し（ステップＳ１０５）、その描画要素種別に基づいて輝度補正用ＬＵＴを設定し（ステップＳ１０６）、その選択された輝度補正用ＬＵＴに基づいて画素毎に輝度を補正するようにした（ステップＳ１０７）。【選択図】    図３
2005114958.tif 000002
【特許請求の範囲】
【請求項１】
所定情報を表示画面に表示させる情報表示装置であって、前記表示画面に表示させる各表示対象の種別を検出し、その種別に基づいて輝度補正特性を設定し、その輝度補正特性に基づいて前記表示対象毎に輝度を補正することを特徴とする情報表示装置。
【請求項２】
所定情報を表示画面に表示させる情報表示装置であって、前記表示画面の各画素毎に描画要素種別を検出する描画要素種別検出手段と、その描画要素種別に基づいて輝度補正特性を設定する特性設定手段と、その輝度補正特性に基づいて前記画素毎に輝度を補正する輝度補正手段とを備えたことを特徴とする情報表示装置。
【請求項３】
前記表示画面の周囲の照度を検出する照度検出手段を備え、前記特性設定手段は、前記照度検出手段で検出された照度と前記描画要素種別検出手段で検出された描画要素種別とに基づいて輝度補正特性を設定することを特徴とする請求項２に記載の情報表示装置。
【請求項４】
前記特性設定手段は、前記描画要素種別検出手段で前記描画要素種別が文字であると検出されたときには、前記照度検出手段で検出される照度が小さいほど中間調部分の輝度を小さく補正する輝度補正特性を設定することを特徴とする請求項３に記載の情報表示装置。
【請求項５】
前記特性設定手段は、前記描画要素種別検出手段で前記描画要素種別が画像であると検出されたときには、前記照度検出手段で検出される照度が小さいほど低階調部分の輝度を小さく補正し且つ高階調部分の輝度を大きく補正する輝度補正特性を設定することを特徴とする請求項３又は請求項４に記載の情報表示装置。
【請求項６】
各画素毎に描画要素種別と輝度とを格納するＶＲＡＭを備え、前記輝度補正手段及び前記特性設定手段は、前記ＶＲＡＭに格納されている描画要素種別に基づいて輝度補正特性を設定し、その輝度補正特性で前記ＶＲＡＭに格納されている輝度を補正する表示制御装置であることを特徴とする請求項２乃至請求項５のいずれかに記載の情報表示装置。
【発明の詳細な説明】
【技術分野】
【０００１】
この発明は、所定情報を表示画面に表示させる情報表示装置に関する。
【背景技術】
【０００２】
従来、この種の技術としては、表示画面の周囲の照度を照度センサで検出し、その検出された照度が大きいときに、表示対象の中間調部分の輝度を大きく補正することで、写真等の画像の視認性を向上させる液晶ディスプレイがある（例えば、特許文献１参照。）。
また、このような液晶ディスプレイに文字を表示させる技術としては、文字の輪郭を中間調とすることで、１画素に満たない線幅を表現し、滑らかで読みやすい文字を表示する技術（アンチエイリアシング）がある。
【特許文献１】特開平６−８３２８７号公報
【発明の開示】
【発明が解決しようとする課題】
【０００３】
しかしながら、上記従来の技術のうち前者のものにあっては、単に、表示対象の中間調部分の輝度を一律に大きく補正するようになっているため、例えば、アンチエイリアシングによって、文字の輪郭が中間調となっていると、文字線の輝度も大きく補正され、その結果、文字の線幅が細くなってしまい、文字の視認性が低下してしまう恐れがあった。
この発明は、上記従来の技術の未解決の課題を解決することを目的としてなされたものであって、各表示対象の視認性を向上することができる情報表示装置を提供することを課題とする。
【課題を解決するための手段】
【０００４】
上記課題を解決するために、第１の発明である情報表示装置は、所定情報を表示画面に表示させる情報表示装置であって、前記表示画面に表示させる各表示対象の種別を検出し、その種別に基づいて輝度補正特性を設定し、その輝度補正特性に基づいて前記表示対象毎に輝度を補正することを特徴とするものである。
また、第２の発明である情報表示装置は、所定情報を表示画面に表示させる情報表示装置であって、前記表示画面の各画素毎に描画要素種別を検出する描画要素種別検出手段と、その描画要素種別に基づいて輝度補正特性を設定する特性設定手段と、その輝度補正特性に基づいて前記画素毎に輝度を補正する輝度補正手段とを備えたことを特徴とするものである。
【０００５】
さらに、第３の発明である情報表示装置は、前記表示画面の周囲の照度を検出する照度検出手段を備え、前記特性設定手段は、前記照度検出手段で検出された照度と前記描画要素種別検出手段で検出された描画要素種別とに基づいて輝度補正特性を設定することを特徴とするものである。
この第１〜第３の発明によれば、文字や画像等の表示対象の種別毎、或いは描画要素種別毎に輝度を補正するようにしたため、例えば、表示対象の種別を考えることなくその輝度を一律に補正する従来の方法に比べ、表示対象の各種別ごと、あるいは各描画要素種別に適切な補正を行うことができ、各表示対象の視認性を向上することができる。
【０００６】
さらに第４の発明である情報表示装置は、前記特性設定手段は、前記描画要素種別検出手段で前記描画要素種別が文字であると検出されたときには、前記照度検出手段で検出される照度が小さいほど中間調部分の輝度を小さく補正する輝度補正特性を設定することを特徴とするものである。
この第４の発明によれば、表示画面の周囲が明るく、表示画面の照度が十分であるときには、文字の輪郭の中間調部分の輝度を保持し、滑らかで読みやすい文字を表示することができ、また表示画面の周囲が暗く、表示画面の照度が十分でないときには、文字の輪郭の中間調部分の輝度が小さく補正され、文字を全体的に濃くすることができ、コントラストが大きい、より読みやすい文字を表示することができる。
【０００７】
さらに第５の発明である情報表示装置は、前記特性設定手段は、前記描画要素種別検出手段で前記描画要素種別が画像であると検出されたときには、前記照度検出手段で検出される照度が小さいほど低階調部分の輝度を小さく補正し且つ高階調部分の輝度を大きく補正する輝度補正特性を設定することを特徴とするものである。
この第５の発明によれば、表示画面の周囲が明るく、表示画面の照度が十分であるときには、画像の輝度を保持し、自然な画像を表示することができ、また表示画面の周囲が暗く、表示画面の照度が十分でないときには、低階調部分の輝度が小さくされ且つ高階調部分の輝度が大きくされ、コントラストが大きく、より表示対象の概形を把握しやすい画像を表示することができる。
【０００８】
また、第６の発明である表示制御装置は、各画素毎に描画要素種別と輝度とを格納するＶＲＡＭを備え、前記輝度補正手段及び前記特性設定手段は、前記ＶＲＡＭに格納されている描画要素種別に基づいて輝度補正特性を設定し、その輝度補正特性で前記ＶＲＡＭに格納されている輝度を補正する表示制御装置であることを特徴とするものである。
この第６の発明によれば、例えば、所定情報の輝度の情報と描画要素種別とをメインメモリに格納し、輝度補正手段及び特性設定手段をＣＰＵで構成する方法に比べ、ＣＰＵの負荷の増大を防止でき、メモリ容量の消費や計算コストの消費を小さくすることができるため、ＣＰＵ資源やメモリ資源に乏しい携帯型情報端末に用いて好適である。
【発明を実施するための最良の形態】
【０００９】
以下、本発明の情報表示装置の一実施形態を図面に基づいて説明する。
図１は、本発明の実施形態における携帯型情報端末１の概略構成を示すブロック図である。この図１に示すように、携帯型情報端末１は、ＣＰＵ（Central Processing Unit ）２、ＲＡＭ（Random Access Memory）３、記憶装置４、入力装置５、表示制御装置６、ＶＲＡＭ（Video Ram）７、表示装置８及び照度センサ９で構成されている。
【００１０】
これらのうちＣＰＵ２は、記憶装置４に格納された基本制御プログラム等の各種プログラム及びデータを読み込み、それら各種プログラム及びデータをＲＡＭ３内に設けられるワークエリアに展開実行して、携帯型情報端末１が備える各部の制御を実行する。また、ＣＰＵ２は、入力装置５からの押下信号に従って、指定された画像データを記憶装置４から読み込み、その画像データを表示制御装置６に出力する。
【００１１】
また、ＲＡＭ３は、ＣＰＵ２が各種プログラムに従って上記処理を実行するときに、各種プログラムを展開するワークエリアを形成するとともに、ＣＰＵ２により実行される各種処理に係るデータを展開するためのメモリ領域を形成する。
さらに、記憶装置４は、ＣＰＵ２により実行される基本制御プログラム、各種アプリケーションプログラム及びこれら各プログラムに係るデータ等を格納する。そして、記憶装置４は、ＣＰＵ２からの読み出し要求に従って、それら各種プログラムやデータをＣＰＵ２に出力する。なお、記憶装置４内の各種プログラム及びデータは、いずれもＣＰＵ２により 読み取り及び実行可能な形式で格納されている。
【００１２】
また、入力装置５は、文字キー、数字キー及び各種機能キーを備えたキーボード等を備えている。そして、キーボードが押下操作されたときには、押下操作されたキーに対応する押下信号をＣＰＵ２に出力する。
さらに、表示制御装置６は、所定時間が経過するたびに、後述する画像表示処理を実行し、ＣＰＵ２から出力される画像データをラスタデータに展開し、そのラスタデータを構成する画素データとその画素データに対応する描画要素の種類の情報である描画要素種別とを、図２に示すように、各画素データに対応する画素の（x,y）座標に対応したＶＲＡＭ７のアドレスに格納させる。そして、照度センサ９で検出された表示装置８の照度とＶＲＡＭ７に格納されている描画要素種別とに基づいて、ＶＲＡＭ７に格納されている画素データを補正し、その補正された画素データを表示装置８に出力する。ここで画素データは、表示装置８の表示画面の各画素の輝度値を「０」〜「２５５」の数値で示し、「０」は、対応する画素の輝度を最小とすることを示し、「２５５」は、対応する画素の輝度を最大とすることを示す。また、描画要素種別としては、例えば、文字、画像及び背景等が挙げられる。なお、文字は、アンチエイリアシングによって輪郭が中間調となっている。
【００１３】
さらに、ＶＲＡＭ７は、表示制御装置６からの書き込み要求に従って、各画素の（x,y）座標に対応したアドレスに画素データと描画要素種別とを格納する。そして、ＶＲＡＭ７は、表示制御装置６からの読み出し要求に従って、それら画素データや描画要素種別を表示制御装置６に出力する。
また、表示装置８は、ＥＬＤ(electro luminescence display)やＬＣＤ（Liquid Crystal Display）等の表示画面を備え、表示制御装置６から出力される画素データに従って、文字や画像等からなる所定情報の表示を行う。
【００１４】
さらに、照度センサ９は、表示装置８の表示画面の周囲の照度を検出し、その検出された照度の情報を表示制御装置６に出力する。
図３は、表示制御装置６で実行される画像表示処理のフローチャートである。この画像表示処理は、所定時間が経過するたびに実行される処理であって、図３に示すように、そのステップＳ１０１では、ＣＰＵ２から画像データが出力されているか否かを判定し、画像データが出力されている場合には（Ｙｅｓ）ステップＳ１０２に移行し、そうでない場合には（Ｎｏ）ステップＳ１０３に移行する。
【００１５】
前記ステップＳ１０２では、ＣＰＵ２から出力されている画像データをラスタデータに展開し、その展開されたラスタデータを構成する画素データとその画素データに対応する描画要素種別とを、各画素データに対応する画素の（x,y）座標に対応したＶＲＡＭ７のアドレスに格納させてから、前記ステップＳ１０３に移行する。
前記ステップＳ１０３では、照度センサ９から出力されている照度の情報に基づいて照度域を判定する。具体的には、図４に示すように、照度が１０lxより小さい場合には照度域Ａ（夜間の街灯下のようなかなり暗い環境）であると判定し、照度が１０lx以上で且つ１００lxより小さい場合には照度域Ｂ（夜間の部屋の隅のようなやや暗めの環境）であると判定、照度が１００lx以上である場合には照度域Ｃ（昼間の室内や屋外のような明るい環境）であると判定する。
【００１６】
次にステップＳ１０４に移行して、ＶＲＡＭ７のポインタを予め定められた先頭画素（０，０）に対応するアドレスに設定する。
次にステップＳ１０５に移行して、ＶＲＡＭ７のポインタで設定されているアドレスに格納されている描画要素種別を読み込む。
次にステップＳ１０６に移行して、まず図５（ａ）及び図６の文字用ＬＵＴ群(Look Up Table)、図５（ｂ）の画像用ＬＵＴ群及び図５（ｃ）の背景用ＬＵＴ群のうちから、前記ステップＳ１０５で読み込まれた描画要素種別に対応する輝度補正用ＬＵＴ群を選択する。次いで、その選択された輝度補正用ＬＵＴ群のうちから、前記ステップＳ１０３で検出された照度域Ａ，Ｂ，Ｃに対応した輝度補正用ＬＵＴを選択する。
【００１７】
ここで、図５（ａ）及び図６に示すように、文字用ＬＵＴ群は、輝度値が「０」では補正値が「０」となり、輝度値が「２５５」では補正値が「２５５」となるＬＵＴ群であり、各照度域Ａ，Ｂ，Ｃに対応したＬＵＴを備え、それらのうち照度域Ｃに対応したＬＵＴは、輝度値が「０」〜「２５５」では、輝度値の増加に伴って補正値がリニアに増加する。また、照度域Ｂに対応したＬＵＴは、輝度値が「０」〜「２５５」では、輝度値の増加と共に次第に増加傾きを増しながら増加する下に凸の曲線で表れる。さらに、照度域Ａに対応したＬＵＴは、輝度値が「０」〜「２５５」では、照度域Ｂに対応したＬＵＴよりも補正値が小さく、輝度値の増加と共に次第に増加傾きを増しながら増加する下に凸の曲線で表れる。つまり、描画要素種別が文字であるときには、表示画面の周囲の照度が小さくなるにつれて、中間調部分の輝度を小さく補正するＬＵＴが輝度補正用ＬＵＴに設定される。
【００１８】
また、図５（ｂ）に示すように、画像用ＬＵＴ群も、輝度値が「０」では補正値が「０」となり、輝度値が「１２７」では補正値が「１２７」となり、輝度値が「２５５」では補正値が「２５５」となるＬＵＴ群であり、各照度域Ａ，Ｂ，Ｃに対応したＬＵＴを備え、それらのうち照度域Ｃに対応したＬＵＴは、輝度値が「０」〜「２５５」では、輝度値の増加に伴って補正値がリニアに増加する。また、照度域Ｂに対応したＬＵＴは、輝度値が「０」〜「１２７」では、輝度値の増加と共に次第に増加傾きを増しながら増加する下に凸の曲線で表れ、輝度値が「１２７」〜「２５５」では、輝度値の増加と共に次第に減少傾きを増しながら増加する上に凸の曲線で表れる。さらに、照度域Ａに対応したＬＵＴは、輝度値が「０」〜「１２７」では、照度域Ｂに対応したＬＵＴよりも補正値が小さく、輝度値の増加と共に次第に増加傾きを増しながら増加する下に凸の曲線で表れ、「１２７」〜「２５５」の輝度では、照度域Ｂに対応したＬＵＴよりも補正値が大きく、輝度値の増加と共に次第に減少傾きを増しながら増加する上に凸の曲線で表れる。つまり、描画要素種別が画像であるときには、表示画面の周囲の照度が小さくなるにつれて、低階調部分の輝度を小さく補正し且つ高階調部分の輝度を大きく補正するＬＵＴが輝度補正用ＬＵＴに設定される。
【００１９】
さらに、図５（ｃ）に示すように、背景用ＬＵＴ群は、全ての照度域Ａ，Ｂ，Ｃに対応したＬＵＴを備え、このＬＵＴは、輝度値が「０」では補正値が「０」となり、輝度値が「２５５」では補正値が「２５５」となり、それらの間の輝度値では、輝度値の増加に伴って補正値がリニアに増加するＬＵＴである。つまり、描画要素種別が背景であるときには、周囲の照度に関わらず、輝度値を保持するＬＵＴが輝度補正用ＬＵＴに設定される。
【００２０】
次にステップＳ１０７に移行して、ＶＲＡＭ７のポインタで設定されているアドレスに格納されている画素データを読み込み、その読み込まれた画素データを前記ステップＳ１０６で選択された輝度補正用ＬＵＴに従って補正する。
次にステップＳ１０８に移行して、前記ステップＳ１０７で補正された画素データを表示装置８に出力する。
【００２１】
次にステップＳ１０９に移行して、全画素に画像を表示させたか否か、つまりポインタが予め定められた最終画素（例えば、表示画面の解像度がＳＶＧＡ(Super Video Graphics Array)８００×６００である場合には（７９９，５９９）となる。）に対応するアドレスであるか否かを判定し、最終画素に対応するアドレスである場合には（Ｙｅｓ）この演算処理を終了し、そうでない場合には（Ｎｏ）ステップＳ１１０に移行する。
【００２２】
前記ステップＳ１１０では、ＶＲＡＭ７のポインタのアドレスをそれまでの画素の平面視右隣にある画素に対応するアドレスに更新設定してから、前記ステップＳ１０５に移行する。なお、それまでの画素の平面視右隣に他の画素がない場合には、平面視１行下にある画素群の左端にある画素に対応するアドレスに更新設定する。
次に、本実施形態の携帯型情報端末１の動作を具体的状況に基づいて説明する。
【００２３】
まず、街灯下のようなかなり暗い環境で携帯型情報端末１が使用され、表示画面の周囲の照度が１０lxより小さいときに、表示制御装置６で、画像表示処理が実行されたとする。すると、図３に示すように、まずそのステップＳ１０１の判定が「Ｎｏ」となり、ステップＳ１０３で、照度センサ９から出力されている照度の情報に基づいて照度域Ａが検出され、ステップＳ１０４で、図２に示すように、ＶＲＡＭ７のポインタが先頭画素（０，０）に対応するアドレスに設定され、ステップＳ１０５で、そのポインタに基づいてＶＲＡＭ７から描画要素種別（背景）が読み込まれ、ステップＳ１０６で、図５（ｃ）に示すように、その描画要素種別に基づいて背景用ＬＵＴが選択され、ステップＳ１０７で、前記ポインタに基づいてＶＲＡＭ７から画素データが読み込まれ、その読み込まれた画素データが前記輝度補正用ＬＵＴに従ってそのままの状態とされ、ステップＳ１０８で、そのままの状態とされた画素データが表示装置８に出力され、ステップＳ１０９の判定が「Ｎｏ」となり、ステップＳ１１０で、ＶＲＡＭ７のポインタが更新設定され、前記ステップＳ１０５から、上記フローが繰り返し実行される。そして、表示制御装置６から画素データが出力されると、表示装置８で、図７（ａ）に示すように、その出力された画素データに基づいて先頭画素（０，０）に背景が表示される。
【００２４】
上記フローが繰り返されるうちに、ＶＲＡＭ７のポインタが画素（０，ｙ1）に対応するアドレスに設定されたとする。すると、前記ステップＳ１０５で、そのポインタに基づいてＶＲＡＭ７から描画要素種別（画像）が読み込まれ、前記ステップＳ１０６で、図５（ｂ）に示すように、その描画要素種別に基づいて画像用ＬＵＴ群のうちから照度域Ａに応じた輝度補正用ＬＵＴが選択され、前記ステップＳ１０７で、前記ポインタに基づいてＶＲＡＭ７から画素データが読み込まれ、前記輝度補正用ＬＵＴに従って、その読み込まれた画素データが低階調部分である場合には輝度がより小さく補正され、高階調部分であると場合には輝度がより大きく補正され、前記ステップＳ１０８で、その補正された画素データが表示装置８に出力され、ステップＳ１０９及びＳ１１０を経て、前記ステップＳ１０５から、上記フローが繰り返し実行される。そして、表示制御装置６から画素データが出力されると、表示装置８で、図７（ａ）に示すように、その出力された画素データに基づいて画素（０，ｙ1）にコントラストの大きい画像が表示される。ちなみに、夜間の部屋の隅のようなやや暗めの環境で携帯型情報端末１が使用され、表示画面の照度が照度域Ｂとなるときには、図７（ｂ）に示すように、照度域Ａのときよりもコントラストが小さい画像が表示され、昼間の室内や屋外のような明るい環境で携帯型情報端末１が使用され、表示画面の周囲の照度が照度域Ｃとなるときには、図７（ｃ）に示すように、高階調部分や低階調部分の輝度が保持された画像が表示される。
【００２５】
上記フローが繰り返されるうちに、ＶＲＡＭ７のポインタが画素（０，ｙ2）に対応するアドレスに設定されたとする。すると、前記ステップＳ１０５で、そのポインタに基づいてＶＲＡＭ７から描画要素種別（文字）が読み込まれ、前記ステップＳ１０６で、図５（ａ）に示すように、その描画要素種別に基づいて文字用ＬＵＴ群のうちから照度域Ａに応じた輝度補正用ＬＵＴが選択され、前記ステップＳ１０７で、前記ポインタに基づいてＶＲＡＭ７から画素データが読み込まれ、前記輝度補正用ＬＵＴに従って、その読み込まれた画素データが中間調部分である場合には輝度が小さく補正され、前記ステップＳ１０８で、その補正された画素データが表示装置８に出力され、前記ステップＳ１０９及びＳ１１０を経て、前記ステップＳ１０５から、上記フローが繰り返し実行される。そして、表示制御装置６からラスタデータが出力されると、表示装置８で、図７（ａ）に示すように、その出力された画素データに基づいて画素（０，ｙ2）にコントラストの大きい文字が表示される。ちなみに、夜間の部屋の隅のようなやや暗めの環境で携帯型情報端末１が使用され、表示画面の照度が照度域Ｂとなるときには、図７（ｂ）に示すように、照度域Ａのときよりもコントラストが小さい文字が表示され、昼間の室内や屋外のような明るい環境で携帯型情報端末１が使用され、表示画面の周囲の照度が照度域Ｃとなるときには、図７（ｃ）に示すように、文字の輪郭の中間調部分の輝度が保持された文字が表示される。
【００２６】
このように本実施形態の携帯型情報端末１にあっては、文字や画像等の描画要素種別毎に輝度を補正するようにしたため、例えば、表示対象の種別を考えることなくその輝度を一律に補正する従来の方法に比べ、各描画要素種別に適切な補正を行うことができ、図７（ａ），（ｂ），（ｃ）に示すように、各表示対象の視認性を向上することができる。
また、表示画面の周囲が明るく、表示画面の照度が十分であるときには、画像の輝度を保持し、自然な画像を表示することができ、また表示画面の周囲が暗く、表示画面の照度が十分でないときには、低階調部分の輝度が小さくされ且つ高階調部分の輝度が大きくされ、コントラストが大きく、より表示対象の概形を把握しやすい画像を表示することができる。
【００２７】
さらに、表示画面の周囲が明るく、表示画面の照度が十分であるときには、文字の輪郭の中間調部分の輝度を保持し、滑らかで読みやすい文字を表示することができ、また表示画面の周囲が暗く、表示画面の照度が十分でないときには、文字の輪郭の中間調部分の輝度が小さく補正され、文字を全体的に濃くすることができ、コントラストが大きい、より読みやすい文字を表示することができる。
【００２８】
また、画素データと描画要素種別とをＶＲＡＭ７に格納し、画像表示処理を表示制御装置６で実行するようにしたため、画素データと描画要素種別とをＲＡＭ３に格納し、画像表示処理をＣＰＵ２で実行する方法に比べ、ＣＰＵ２の負荷の増大を防止でき、メモリ容量の消費や計算コストの消費を小さくすることができる。
ちなみに、表示画面の周囲の照度を照度センサで測定し、その測定された照度が小さいほど文字の線幅が太くなるようにフォントそのものを変更する従来の方法では、複数のフォントを予めシステムに用意しておくことやフォントを自動生成することが必要とされ、多くのメモリ容量が消費されたり多くの計算コストが消費されたりする。また、照度の変化に応じてフォントの再レンダリングが繰り返されると、メモリやＣＰＵ等の資源が貧弱であり、かつ低消費電力に対する要求も高い携帯型情報端末には負荷が大きき過ぎるものとなる。さらに、１つの文字の大きさが、１０×１０画素〜２０×２０画素である現在の携帯型情報端末にあっては、フォントそのものを変更するとその変更による表示の変化が大きくなり過ぎてしまい、動的にこれを変更すると利用者に目障りな印象を与えてしまう。
【００２９】
なお、上記実施形態では、図３のステップＳ１０７が輝度補正手段を構成し、以下同様に、図３のステップＳ１０５が描画要素種別検出手段を構成し、図３のステップＳ１０６が特性設定手段を構成し、図１の照度センサ９及び図３のステップＳ１０３が照度検出手段を構成する。
また、上記実施形態は、本発明に係る情報表示装置の一例を示したものであり、その構成等を限定するものではない。
【００３０】
例えば、上記実施形態では、画素データと描画要素種別とをＶＲＡＭ７に格納し、画像表示処理を表示制御装置６で実行する例を示したが、これに限られるものではなく、例えば、画素データと描画要素種別とをＲＡＭ３に格納し、画像表示処理をＣＰＵ２で実行するようにしてもよい。そのようにすれば、メモリ容量の消費量等が大きくなってしまうものの、表示制御装置６やＶＲＡＭ７として、一般的なものを用いることができる。
【００３１】
また、輝度補正用ＬＵＴとして、γカーブやS字カーブのＬＵＴを適用する例を示したが、これに限られるものではなく、例えば、折れ曲がり直線や底上げ、頭下げ等のＬＵＴを適用するようにしてもよい。
【図面の簡単な説明】
【００３２】
【図１】本発明の情報表示装置の一実施形態を示す構成図である。
【図２】図１のＶＲＡＭに格納されるデータを説明するための説明図である。
【図３】表示制御装置で実行される画像表示処理のフローチャートである。
【図４】照度域と照度との関係を説明するための説明図である。
【図５】輝度補正用ＬＵＴを説明するための説明図である。
【図６】文字用ＬＵＴを説明するための説明図である。
【図７】本発明の実施形態の動作を説明するための説明図である。
【符号の説明】
【００３３】
１はコンピュータシステム、２はＣＰＵ、３はＲＡＭ、４は記憶装置、５は入力装置、６は表示制御装置、７はＶＲＡＭ、８は情報表示装置、９は照度センサ
【図１】
2005114958.tif 000003
【図２】
2005114958.tif 000004
【図３】
2005114958.tif 000005
【図４】
2005114958.tif 000006
【図５】
2005114958.tif 000007
【図６】
2005114958.tif 000008
【図７】
2005114958.tif 000009